(57)【要約】【課題】  ＡＣスイッチの取付作業を安価な構造で迅速容易に行うこと。【解決手段】  ＡＣスイッチ７付き支持基板６をシャーシ３に固定するための合成樹脂製ホルダ１３を備え、該ホルダ１３が、両側板１３ｂの外周面にビス止め枠１３ｃを一体突設したホルダ本体１３Ａを有し、該ホルダ本体１３Ａの底板１３ａ上に所定間隔をおいて一対の横板１３ｅ，１３ｆが一体突設され、その前側横板１３ｅの両端に底板１３ａと平行して突出する一対の係合片１３ｇが一体突設され、底板１３ａ上の両横板１３ｅ，１３ｆ間に左右一対のフック部１３ｉが一体突設され、両係合片１３ｇ及び両フック部１３ｉに対向して支持基板６の両側縁に４つの凹部６ａ，６ｂが形成されており、両ビス止め枠１３ｃをシャーシ３の背面にビス止めし、支持基板６の前側両凹部６ａの角部を各係合片１３ｇに係合させ、支持基板６の後側両凹部６ｂを各フック部１３ｉに嵌合させる。【選択図】        図６
2010250203.tif 000002
【特許請求の範囲】
【請求項１】
キャビネット内に配置した薄型表示部のシャーシにプリント配線基板からなる制御基板
が固定され、該制御基板に接続した電源コードの途中にプリント配線基板からなる支持基
板と該支持基板に接続したＡＣスイッチとが介在され、前記支持基板を前記シャーシに固
定することにより、前記ＡＣスイッチが前記キャビネットに開設した開口部から外部に露
出された薄型表示装置において、前記支持基板をシャーシに固定するための合成樹脂製ホ
ルダを備え、該ホルダが、両側板外周面にビス止め枠を一体突設した矩形箱状ホルダ本体
を有し、該ホルダ本体の底板上に所定間隔をおいて一対の横板が一体突設され、その一方
の横板の両端に底板と平行して突出する一対の係合片が一体突設され、前記底板上の両横
板間に左右一対のフック部が一体突設され、前記両係合片及び両フック部に対向して前記
支持基板の両側縁に４つの凹部が形成されており、両ビス止め枠をシャーシの背面にビス
止めし、支持基板の一端側両凹部を各係合片に遊嵌合させ、該支持基板を他方の横板側に
移動させることにより一端側両凹部の角部を各係合片に係合させ、その支持基板の他端側
両凹部を各フック部に嵌合させるようにしたことを特徴とする薄型表示装置。
【請求項２】
前記ホルダ本体の底面に一体突設されてシャーシの側面に沿って延びる脚部が設けられ
ていることを特徴とする請求項１に記載の薄型表示装置。
【発明の詳細な説明】
【技術分野】
【０００１】
本発明は、例えば液晶テレビなどの薄型表示装置に関し、特に、ＡＣスイッチの取付作
業を安価な構造で迅速容易に行うことができるようにしたものである。
【背景技術】
【０００２】
従来、薄型表示装置の一例として図８の斜視図に示すものがあり、これは液晶テレビで
あって、フロントキャビネット１ａ及びリアキャビネット１ｂとからなるキャビネット１
内に配置した液晶モジュ−ル（薄型表示部）２のシャーシ３にプリント配線基板からなる
制御基板４が固定され、該制御基板４に接続した電源コード５の途中にプリント配線基板
からなる支持基板６と該支持基板６に接続したＡＣスイッチ７とが介在され、前記支持基
板６がその四隅を貫通して４本のビス８により絶縁材９を介してシャーシ３の背面に固定
され、ＡＣスイッチ７がリアキャビネット１ｂの開口部１０から外部に露出されており、
ＡＣスイッチを切換操作することにより、電源をオンまたはオフ状態にする。なお、１１
はスタンドである。関連する技術として特許文献１ん記載したものがある。
【先行技術文献】
【特許文献】
【０００３】
【特許文献１】特開平９−３２６５７３号公報
【発明の概要】
【発明が解決しようとする課題】
【０００４】
上記従来の構成では、４本のビス７でＡＣスイッチ６付き支持基板５をシャーシ２ａに
固定するようになっており、４本のビス７を用いていることから、部品点数が多くて、コ
ストアップになると共に、その支持基板６の固定作業に手間と時間とがかかって、作業能
率が低い。
【０００５】
また、ＡＣスイッチ７とビス８との間でショートが生じないように、そのＡＣスイッチ
７とビス８との間の絶縁距離（沿面距離）を十分にとる必要があるから、支持基板６が大
型化し、コストアップになっている。
【０００６】
本発明は、上記従来の欠点に鑑み、ＡＣスイッチの取付作業を安価な構造で容易に行う
ことができるようにした薄型表示装置を提供することを目的としている。
【課題を解決するための手段】
【０００７】
上記目的を達成するため、請求項１に記載の発明は、キャビネット内に配置した薄型表
示部のシャーシにプリント配線基板からなる制御基板が固定され、該制御基板に接続した
電源コードの途中にプリント配線基板からなる支持基板と該支持基板に接続したＡＣスイ
ッチとが介在され、前記支持基板を前記シャーシに固定することにより、前記ＡＣスイッ
チが前記キャビネットに開設した開口部から外部に露出された薄型表示装置において、前
記支持基板をシャーシに固定するための合成樹脂製ホルダを備え、該ホルダが、両側板外
周面にビス止め枠を一体突設した矩形箱状ホルダ本体を有し、該ホルダ本体の底板上に所
定間隔をおいて一対の横板が一体突設され、その一方の横板の両端に底板と平行して突出
する一対の係合片が一体突設され、前記底板上の両横板間に左右一対のフック部が一体突
設され、前記両係合片及び両フック部に対向して前記支持基板の両側縁に４つの凹部が形
成されており、両ビス止め枠をシャーシの背面にビス止めし、支持基板の一端側両凹部を
各係合片に遊嵌合させ、該支持基板を他方の横板側に移動させることにより一端側両凹部
の角部を各係合片に係合させ、その支持基板の他端側両凹部を各フック部に嵌合させるよ
うにしたことを特徴としている。
【０００８】
請求項２に記載の発明は、請求項１に記載の発明において、前記ホルダ本体の底面に一
体突設されてシャーシの側面に沿って延びる脚部が設けられていることを特徴としてる。
【発明の効果】
【０００９】
請求項１に記載の発明によれば、ホルダのビス止め箇所が２つしかなくて従来より少な
いから、ＡＣスイッチの固定作業を能率良く行うことができると共に、従来よりもビスの
使用本数が半減されているから、コストダウンを図ることができる。
【００１０】
また、ＡＣスイッチ及び支持基板と両ビスとの間に絶縁材である合成樹脂製ホルダを介
在させることにより、該ＡＣスイッチ及び支持基板と両ビスとの間の絶縁距離（沿面距離
）を長く確保しているから、支持基板を従来に比べて小型化してコストダウンを図ること
ができる。
【００１１】
請求項２に記載の発明によれば、ホルダ本体に一体突設した脚部をシャーシの側面に沿
って延ばすことにより、該ホルダ本体を不測に動かないようにシャーシに安定して固定す
ることができる。
【００１２】
また、ＡＣスイッチ及び支持基板とシャーシとの間に絶縁材である脚部を介在させてい
るので、該ＡＣスイッチ及び支持基板とシャーシとの間の絶縁距離（沿面距離）も長く確
保することができる。
【図面の簡単な説明】
【００１３】
【図１】本発明の実施の一形態である薄型表示装置を示す斜視図である。
【図２】同正面図である。
【図３】同側面図である。
【図４】図２のＡ−Ａ矢視図である。
【図５】図４のＢ−Ｂ矢視図である。
【図６】同分解斜視図である。
【図７】（ａ）〜（ｃ）はＡＣスイッチの取付手順を示す正面図である。
【図８】従来例を示す斜視図である。
【発明を実施するための形態】
【００１４】
図１〜図６は本発明の実施の一形態である薄型表示装置を示すものであり、これは液晶
テレビであって、ＡＣスイッチ７を接続した支持基板６をシャーシ３に固定するための合
成樹脂製ホルダ１３を有している。上記以外の構成は図８に示す構成とほぼ同じであるか
ら、同一部分に同一符号を付してその説明を省略する。
【００１５】
図２〜図６に示すように、前記ホルダ１３は、シャーシ３の背面に配置される矩形箱状
ホルダ本体１３Ａと、該ホルダ本体１３Ａの底面に一体突設されてシャーシ３の側面に沿
って延びる脚部１３Ｂとから形成されている。
【００１６】
図２〜図６に示すように、前記ホルダ本体１３Ａは、支持基板６よりも一回り大きい底
板１３ａと、該底板１３ａの両側縁から直角に折れ曲がって互いに平行する左右一対の側
板１３ｂと、該両側板１３ｂの外周面前端近傍に一体突設された左右一対のビス止め枠１
３ｃと、前記底板１３ａの後端縁から直角に折れ曲がって両側板１３ｂに一体形成された
後端板１３ｄとを有し、ホルダ本体１３Ａの前端面から両側板１３ｂ間を通って後端板１
３ｄまで前後方向ａ，ｂに沿って開口部１４が形成されている。
【００１７】
図２〜図６に示すように、ホルダ本体１３Ａ内の底板１３ａ上に前後方向ａ，ｂに所定
間隔をおいて一対の横板１３ｅ，１３ｆが一体突設されており、該各横板１３ｅ，１３ｆ
の両端が各側板１３ｂまで延びて一体形成されると共に、その各横板１３ｅ，１３ｆの上
面に支持基板６を嵌め込むための凹溝１５が形成され、前端側の横板１３ｅと各側板１３
ｂとの間のコーナ部に底板１３ａと平行して矢印ａ方向に突出する一対の係合片１３ｇが
一体突設されている。
【００１８】
図５及び図６に示すように、底板１３ａ上の両横板１３ｅ，１３ｆ間に前後方向ａ，ｂ
とは直交する左右方向に所定間隔をおいて弾性変位可能な左右一対の弾性板１３ｈが一体
突設され、該各弾性板１３ｈの先端にフック部１３ｉが一体形成されており、該各フック
部１３ｉは各弾性板１３ｈの先端からホルダ本体１３Ａ内の中央に向けて突出し、その各
フック部１３ｉの先端面がホルダ本体１３Ａの中央に向けて傾斜する傾斜ガイド面１６と
されている。
【００１９】
図２及び図４に示すように、後端板１３ｄと後端側の横板１３ｆとの間に、前後方向ａ
，ｂとは直交する左右方向に所定間隔をおいて一対の縦板１３ｊが一体形成され、該各縦
板１３ｊの上面に支持基板６を嵌め込むための凹段部１７が形成されている。
【００２０】
図４及び図５に示すように、前記両側板１３ｂ及び後端板１３ｄに一体形成されて底板
１３ａよりも下方に延ばされたコ字状枠体１３ｋ内に縦横に交差する補強板１３ｍが一体
形成され、その前端側の補強板１３ｍの下面に左右一対の半球状位置決め突起部１８が一
体突設されている。
【００２１】
図５及び図６に示すように、前記各ビス止め枠１３ｃは、各側板１３ｂからコ字状枠体
１３ｋにかけて一体突設した前後一対の支持板１９と、該両支持板１９間に一体形成され
たビス当て板２０とからなり、該ビス当て板２０にビス挿通孔２１が貫設され、そのビス
当て板２０の下面がコ字状枠体１３ｋの下面と面一状に形成されている。
【００２２】
図４及び図５に示すように、前記脚部１３Ｂは、コ字状枠体１３ｋの両側部から下方に
延びる縦脚板１３ｎと、該両縦脚板１３ｎの前端間に一体形成された横脚板１３ｔとから
形成されている。
【００２３】
図６に示すように、前記係合片１３ｇ及び両フック部１３ｉに対向して、前記支持基板
６の両側縁に前後一対ずつ、合計４つの凹部６ａ，６ｂが形成されている。
【００２４】
ＡＣスイッチ７付き支持基板６の取付手順を説明すると、図３に示すように、ホルダ１
３の位置決め突起部１８をシャーシ３の位置決め孔（図示せず）に嵌入させて、該ホルダ
１３を位置決めし、各ビス止め枠１３ｃのビス挿通孔２１を通ってビス８をシャーシ３の
ビス孔にねじ込むことにより、ホルダ１３をシャーシ３に固定する。
【００２５】
続いて、図７（ａ）に示すように、支持基板６の前側凹部６ａを各係合片１３ｇに遊嵌
合させ、図７（ｂ）に示すように、支持基板６を矢印ｂ方向に移動させることにより両凹
部６ａの角部を各係合片１３ｇに係合させ、その支持基板６を両フック部１３ｉの傾斜ガ
イド面１６に沿って押すことにより、図７（ｃ）に示すように、両弾性板１３ｈを弾性変
位させて、支持基板６の後側両凹部６ｂを各フック部１３ｉに嵌合させ、両横板１３ｅ，
１３ｆの凹溝１５に支持基板６を嵌め込む。
【００２６】
上記構成によれば、ホルダ１３のビス止め箇所が２つしかなくて従来より少ないから、
ＡＣスイッチ７の固定作業を能率良く行うことができると共に、従来よりもビス８の使用
本数が半減されているから、コストダウンを図ることができる。
【００２７】
また、ＡＣスイッチ７及び支持基板６と両ビス８との間に合成樹脂製ホルダ１３を介在
させることにより、該ＡＣスイッチ７及び支持基板６と両ビス８との間の絶縁距離（沿面
距離）Ｃ（図３参照）を長く確保しているから、支持基板６を従来に比べて小型化してコ
ストダウンを図ることができる。
【００２８】
更に、ホルダ本体１３Ａに一体突設した脚部１３Ｂをシャーシ３の側面に沿って延ばす
ことにより、該ホルダ本体１３Ａを不測に動かないようにシャーシ３に安定して固定する
ことができる。
【００２９】
しかも、ＡＣスイッチ７及び支持基板６とシャーシ３との間に絶縁材である脚部を介在
させているので、該ＡＣスイッチ７及び支持基板６とシャーシ３との間の絶縁距離（沿面
距離）Ｄ（図３参照）を長く確保することができる。
【産業上の利用可能性】
【００３０】
上記の実施の形態では、液晶テレビを例にあげて説明したが、これに限定される分けで
はなく、例えば液晶モニターなどの各種薄型表示装置にも適用される。
【符号の説明】
【００３１】
１              キャビネット
２              液晶モジュ−ル（薄型表示部）
３              シャーシ
４              制御基板
５              電源コード
６              支持基板
６ａ，６ｂ      支持基板の凹部
７              ＡＣスイッチ
８              ビス
１０            開口部
１３            ホルダ
１３Ａ          ホルダ本体
１３Ｂ          脚部
１３ａ          底板
１３ｂ          側板
１３ｃ          ビス止め枠
１３ｄ          後端板
１３ｅ，１３ｆ  横板
１３ｇ          係合片
１３ｉ          フック部
【図１】
2010250203.tif 000003
【図２】
2010250203.tif 000004
【図３】
2010250203.tif 000005
【図４】
2010250203.tif 000006
【図５】
2010250203.tif 000007
【図６】
2010250203.tif 000008
【図７】
2010250203.tif 000009
【図８】
2010250203.tif 000010